(57)【要約】【課題】蛍光ランプ用の電流バランスを調節する表示素子用バックライトユニットを提供する。【解決手段】ボトムフレームと；前記ボトムフレームの前面の一側端に、第１方向に形成されている第１回路基板と；前記第１回路基板にその一端が位置して、前記第１方向と垂直に配列される複数の蛍光ランプと；前記ボトムフレームの背面に位置して、前記ボトムフレームを貫通する第１ホールを通じて前記複数の蛍光ランプの一端に連結される第１インバータを有する第１インバータ部とを含むことを特徴とする液晶表示装置用バックライトユニットを提供する。【選択図】図４
2008146050.tif 000002
【特許請求の範囲】
【請求項１】
ボトムフレームと；
前記ボトムフレームの前面の一側端に、第１方向に形成されている第１回路基板と；
前記第１回路基板に一終端が位置して、前記第１方向と垂直に配列される複数の蛍光ランプと；
前記ボトムフレームの背面に位置して、前記ボトムフレームを貫通する第１ホールを通じて前記複数の蛍光ランプの一終端に連結される第１インバータを有する第１インバータ部と
を含む液晶表示装置用バックライトユニット。
【請求項２】
前記第１回路基板には、前記複数の蛍光ランプに連結される第１ＰＣＢ配線が形成される
ことを特徴とする請求項１に記載の液晶表示装置用バックライトユニット。
【請求項３】
前記第１回路基板は、前記第１ホールに対応する第２ホールを有し、
前記第１インバータは、前記第１ホール及び第２ホールを通じて前記第１ＰＣＢ配線に連結される
ことを特徴とする請求項２に記載の液晶表示装置用バックライトユニット。
【請求項４】
前記複数の蛍光ランプ各々の一終端が結合されて、前記第１ＰＣＢ配線に並列に連結される複数のランプソケットを含む
ことを特徴とする請求項２に記載の液晶表示装置用バックライトユニット。
【請求項５】
前記ボトムフレームの前面の他の側端に、前記第１方向に形成される第２回路基板を含む
ことを特徴とする請求項１に記載の液晶表示装置用バックライトユニット。
【請求項６】
前記複数の蛍光ランプ各々の他の終端は、前記第２回路基板上に位置することを特徴とする請求項５に記載の液晶表示装置用バックライトユニット。
【請求項７】
前記ボトムフレームの背面に位置して、前記ボトムフレームを貫通する第２ホールを通じて前記複数の蛍光ランプの他の終端に連結される第２インバータを有する第２インバータ部を含むことを特徴とする請求項６に記載の液晶表示装置用バックライトユニット。
【請求項８】
前記第１ホール及び第２ホールは、各々前記蛍光ランプの一終端と他の終端に対応して位置することを特徴とする請求項７に記載の液晶表示装置用バックライトユニット。
【請求項９】
前記第１インバータ及び第２インバータ各々は、前記第１ホール及び第２ホールに対応して位置することを特徴とする請求項８に記載の液晶表示装置用バックライトユニット。
【請求項１０】
前記第１回路基板は、前記複数の蛍光ランプの一終端に連結される第１ＰＣＢ配線を含み、前記第２回路基板は、前記複数の蛍光ランプの他の終端に連結される第２ＰＣＢ配線を含み、前記第１ＰＣＢ配線及び第２ＰＣＢ配線各々は、第１ホール及び第２ホールを通じて前記第１インバータ及び第２インバータに連結されることを特徴とする請求項９に記載の液晶表示装置用バックライトユニット。
【請求項１１】
前記第１インバータは、前記ボトムフレームを貫通する第２ホール及び前記第２回路基板を通じて前記蛍光ランプの他の終端に連結されることを特徴とする請求項５に記載の液晶表示装置用バックライトユニット。
【請求項１２】
前記第１ホール及び第２ホールは、前記蛍光ランプの一終端に対応して位置することを特徴とする請求項１１に記載の液晶表示装置用バックライトユニット。
【請求項１３】
前記第２回路基板上には、前記複数の蛍光ランプ各々の他の終端に連結される第１ＰＣＢ配線が形成されて、前記第１ＰＣＢ配線は、前記第２ホールを貫通する第１ワイヤを通じて前記第１インバータに連結されることを特徴とする請求項１２に記載の液晶表示装置用バックライトユニット。
【請求項１４】
前記ボトムフレームと前記複数の蛍光ランプの間に位置する反射シートを含むことを特徴とする請求項１３に記載の液晶表示装置用バックライトユニット。
【請求項１５】
前記第１ワイヤは、前記ボトムフレームと前記反射シートの間を通じて前記第２ホールに延長されることを特徴とする請求項１４に記載の液晶表示装置用バックライトユニット。
【請求項１６】
前記複数の蛍光ランプは、外部電極蛍光ランプ（ＥＥＦＬ）であることを特徴とする請求項１に記載の液晶表示装置用バックライトユニット。
【請求項１７】
前記複数の蛍光ランプは、冷陰極蛍光ランプ（ＣＣＦＬ）であることを特徴とする請求項１に記載の液晶表示装置用バックライトユニット。
【請求項１８】
前記第１回路基板上に、前記複数の蛍光ランプ各々に電流を分配するためのバランシングユニットが形成されることを特徴とする請求項１７に記載の液晶表示装置用バックライトユニット。
【請求項１９】
前記バランシングユニットは、キャパシタで構成されることを特徴とする請求項１８に記載の液晶表示装置用バックライトユニット。
【請求項２０】
前記バランシングユニットは、第１電極及び第２電極を含み、前記第１電極及び第２電極が前記第１回路基板に半田付けされる位置の間には、離隔空間が形成されることを特徴とする請求項１８に記載の液晶表示装置用バックライトユニット。
【請求項２１】
前記第１ホールを通じて前記複数の蛍光ランプの一終端に連結されるワイヤを含み、前記第１インバータ部は、前記ワイヤと接続されるコネクタと、前記コネクタと前記第１インバータが実装されるインバータＰＣＢで構成されることを特徴とする請求項１に記載の液晶表示装置用バックライトユニット。
【請求項２２】
前記ボトムフレームの両側端に結合して、前記第１回路基板を覆うサポーターを含むことを特徴とする請求項１に記載の液晶表示装置用バックライトユニット。
【請求項２３】
前記第１回路基板上には、前記複数の蛍光ランプ各々と結合される複数のランプソケットが形成されて、前記サポーターは、前記複数のランプソケットが実装される内部空間と、前記複数の蛍光ランプが貫通する複数の貫通ホールを有することを特徴とする請求項２２に記載の液晶表示装置用バックライトユニット。
【請求項２４】
前記複数の蛍光ランプの上部に、複数の光学シートを備えることを特徴とする請求項１に記載の液晶表示装置用バックライトユニット。
【請求項２５】
液晶パネルと；
前記液晶パネルに光を投射するバックライトユニットと
を備え、
前記バックライトユニットは、
ボトムフレームと；
前記ボトムフレームの前面の一側端に、第１方向に形成されている第１回路基板と；
前記第１回路基板に一終端が位置して、前記第１方向と垂直に配列される複数の蛍光ランプと；
前記ボトムフレームの背面に位置して、前記ボトムフレームを貫通する第１ホールを通じて前記複数の蛍光ランプの一端に連結される第１インバータを有する第１インバータ部と
を含む液晶表示モジュール。
【請求項２６】
前記複数のランプの上部に位置する光学シート(optical sheet)をさらに含むことを特徴とする請求項２５に記載の液晶表示モジュール。
【請求項２７】
前記光学シートを取り囲み、前記第１フレームに付着する第２フレームをさらに含むことを特徴とする請求項２６に記載の液晶表示モジュール。
【請求項２８】
前記液晶パネルの端部を取り囲み、前記第１フレームと第２フレームに付着される第３フレームをさらに含むことを特徴とする請求項２７に記載の液晶表示モジュール。
【発明の詳細な説明】
【技術分野】
【０００１】
本発明は、液晶表示モジュールに係り、特に、液晶表示モジュール用バックライトユニットに関する。
【背景技術】
【０００２】
一般的に、液晶表示装置の画像駆動原理は、液晶物質の光学的異方性と分極性質を利用しており、液晶は、分子構造が細長く、配列に方向性を有する光学的異方性と、電界内に置かれたときにその大きさによって分子配列の方向が変化する分極性を有する。
【０００３】
液晶表示装置は、相互に向かい合う二つの透明絶縁基板と、両基板間に介された液晶層を含む液晶パネルによって画面を具現し、各電界生成電極間の電界の変化によって液晶分子の配列方向を人為的に調節し、この時、変化する光の透過率を利用して多用な画像を表示する。
【０００４】
液晶パネルは、自発光要素の持たない素子であるために、別途の光源が必要とされる。このため、背面に備えるバックライトユニットによって光の供給を受け、識別可能な輝度の画像が表示される。このようなバックライトユニットは、ユニットに含まれる蛍光ランプの配列方法によって、液晶パネルの背面の一側に配置された蛍光ランプの光を導光板で屈折させて液晶パネルの前面に進入させるサイドライト型(side light：エッジライトとも呼ぶ)方式または液晶パネルの背面に複数の蛍光ランプを配列して液晶パネルの全面に光を直接供給する直下型(direct light)方式とに区分される。
【０００５】
サイドライト型のバックライトユニットは、液晶パネルの側面に管状の蛍光ランプを設置し、透明な導光板を利用してランプからの光を液晶パネルの画面全体に投射させる方式であって、製作が容易であるという長所がある。
【０００６】
また、直下型のバックライトユニットは、拡散板の下部面に複数の蛍光ランプを一列に配列させ液晶パネルの全面に向かって光を直接照射する方式であって、光の均一度が高く大面積の液晶表示装置への適用が有利である。
【０００７】
ここで、直下型のバックライトユニットは、光を基板全面に直接照射するので、導光板が不必要であり、複数のランプが利用でき、光の利用率が高く、取り扱いが簡単であり、表示面の大きさに制限がないために、２０インチ以上の大面積の液晶表示装置に使用されている。
【０００８】
一般的に、液晶パネルとバックライトユニットは、外部の衝撃から保護及び光の損失を防ぐために、メインフレーム、サブフレーム、ボトムフレームを含んで相互に結合される。
【０００９】
図１は、従来による液晶表示モジュール用バックライトユニット及びこれに連結されるインバータ部の概略的な斜視図である。図１に示したように、直下型のバックライトユニットＢＬＵには、複数の蛍光ランプ２４が並列に配置されており、蛍光ランプ２４の下部には、反射シート２２が位置する。そして、ボトムフレーム５０のエッジ部には、蛍光ランプ２４を支持するために、サポーター３３が位置する。蛍光ランプ２４の両エッジ部は、ランプホルダー３２に挟まれ、ランプホルダー３２は、サポーター３３のオープン部に挟まれて、サポーターは、ボトムフレーム両エッジ部と結合される。
【００１０】
複数の蛍光ランプ２４の一端には、外部の電源に連結されるワイヤ３７が連結されており、ワイヤ３７は、ボトムフレーム５０の背面に延長され、一端に第１コネクタ３８ａが連結されて、これを通じてインバータ部７０と電気的に連結される。
【００１１】
また、ボトムフレーム５０の下部には、蛍光ランプ２４に電源を供給するインバータ部７０が位置して、インバータ部７０は、複数のインバータ(図示せず)と、蛍光ランプの連結手段である第２コネクタ３８ｂと、これを実装するインバータＰＣＢ３５とで構成される。
【００１２】
インバータは、図面には示してないが、カバーによって外部から遮蔽され、また、外部の電源供給部から供給される電源を変換して蛍光ランプ２４に供給する。
【００１３】
複数の蛍光ランプ２４は、一端に構成された電極(図示せず)に連結されたワイヤ３７を通じて高圧の交流波形が電極(図示せず)に印加されて発光する。図面には、蛍光ランプ２４の一端に接地部(図示せず)が構成されたハイ−ロー(high−low)方式の例を示している。
【００１４】
このようなハイ−ロー方式において、蛍光ランプ２４は、少なくとも二つが一組でなり、その一端は、ランプホルダー３２に挟まれて、また、ワイヤ３７を通じてインバータ部７０と電気的に連結される。
【００１５】
ワイヤ３７は、ボトムフレーム５０の背面に延長されて、一端にソケットコネクタ３８ａが連結されている。
【００１６】
ここで、蛍光ランプ２４を駆動するためには、高電圧の交流を必要として、直流電圧を高電圧の交流に変換するインバータ３６を必須の構成要素とする。
【００１７】
これによって、インバータ３６が実装されるインバータＰＣＢ３５を別途に備えて、インバータ３６は、多くの熱を発生するために、一般の場合、設計者は、モジュール化された液晶表示装置の外郭、特に、ボトムフレーム５０の背面に実装する。インバータＰＣＢ３５上には、ソケットコネクタである第１コネクタ３８ａに連結するためのプラグコネクタである第２コネクタ３８ｂが構成され、これらの接続によって蛍光ランプ２４と電気的に連結される。
【００１８】
しかし、インバータＰＣＢ３５は、ボトムフレーム５０の背面に実装され蛍光ランプ２４から延長されたワイヤ３７の一端に連結されたソケットコネクタ３８ａと、インバータＰＣＢ３５上に構成されたプラグコネクタ３８ｂが相互に接続すると、ワイヤ３７がボトムフレーム５０の側面及び背面で露出される。
【００１９】
従って、露出されたワイヤ３７間に相互に接触が起きる場合があるが、これにより、各々のワイヤ３７に流れる高電圧の交流によってワイヤ３７間の電気的干渉が発生したり、電流が漏洩したりする可能性がある。さらに、ランプとワイヤ間の半田付け部分では、クラックが発生し易い問題がある。これによって、蛍光ランプ２４の発光が不均一な問題を引き起こす。
【００２０】
図２は、図１のＩＩａ領域を拡大して示したものであって、蛍光ランプ２４、ワイヤ３７、ソケットコネクタ３８ａの連結部位を示している。図２に示したように、蛍光ランプ２４とワイヤ３７を相互に連結するためには、蛍光ランプ２４とワイヤ３７各々を半田付けしなければならない(ＩＩｂ部分)。これは、手作業でするので、工程時間が長引き、関連費用が増加すると共に、ワイヤ３７を特定の長さ以上多量使用することによって製作の原価が高くなる短所がある。また、ワイヤ３７の一端には、インバータ部(図２の７０)と接続するための第１コネクタ３８ａを備えている。
【００２１】
図３は、図１による液晶表示モジュール用バックライトユニットのランプホルダー部の概略的な図であって、蛍光ランプ２４をボトムフレーム(図１の５０)に安定的に実装するためには、ランプホルダー３２を必要とする。
【００２２】
一方、蛍光ランプとしては、冷陰極蛍光ランプ(ＣＣＦＬ：Cold Cathode Fluorescent Lamp)、外部電極蛍光ランプ(ＥＥＦＬ：External Electrode Fluorescent Lamp)等が使用されるが、冷陰極蛍光ランプの場合、前述した直下型のバックライトユニットは、一つのインバータを利用して複数の冷陰極蛍光ランプを並列駆動すると、冷陰極蛍光ランプの放電の特性によって複数のランプのうち、一部のみ駆動される問題がある。
【００２３】
より詳しくは、冷陰極蛍光ランプは、放電する前は無限大の抵抗値を有する一方、放電した後は、ガラス管の内部に発生する導体のプラズマによって小さい抵抗値を有するようになる。これによって、初期より抵抗値が減少して管電流の量が増加する特性がある。これにより、複数の冷陰極蛍光ランプを並列駆動する場合、初期放電以後は、抵抗値の小さいランプの方に電流が流れて、残りのランプは駆動されない現象が発生する。従って、冷陰極蛍光ランプが適用された直下型のバックライトユニットは、ランプの数だけのインバータを備えなければならない。
【発明の開示】
【発明が解決しようとする課題】
【００２４】
本発明は、前述した問題を解決するために案出されており、蛍光ランプを並列に連結する回路基板(ランプＰＣＢまたはバランスＰＣＢ)をカバーボトムの内面に形成することによって、効率的な空間活用を図る。
【課題を解決するための手段】
【００２５】
前述したような目的を達成するために、本発明に係る液晶表示装置用バックライトユニットは、ボトムフレームと；前記ボトムフレームの前面の一側端に、第１方向に形成されている第１回路基板と；前記第１回路基板に一終端が位置して、前記第１方向と垂直に配列される複数の蛍光ランプと；前記ボトムフレームの背面に位置して、前記ボトムフレームを貫通する第１ホールを通じて前記複数の蛍光ランプの一終端に連結される第１インバータを有する第１インバータ部とを含む。
【００２６】
また、本発明に係る液晶表示モジュールは、液晶パネルと；前記液晶パネルに光を投射するバックライトユニットとを備え、前記バックライトユニットは、ボトムフレームと；前記ボトムフレームの前面の一側端に、第１方向に形成されている第１回路基板と；前記第１回路基板に一終端が位置して、前記第１方向と垂直に配列される複数の蛍光ランプと；前記ボトムフレームの背面に位置して、前記ボトムフレームを貫通する第１ホールを通じて前記複数の蛍光ランプの一端に連結される第１インバータを有する第１インバータ部とを含む。
【発明の効果】
【００２７】
本発明によるバックライトユニットを含む液晶表示モジュールは、複数の蛍光ランプが挟まれるランプソケットが並列に連結される回路基板(ランプＰＣＢまたはバランスＰＣＢ)をカバーボトムの前面に備えて、カバーボトムを貫通するホールを通じてカバーボトムの背面に形成されたインバータに連結することによって、複数の蛍光ランプとインバータを一つのワイヤを通じて連結することができる。
【発明を実施するための最良の形態】
【００２８】
以下、図面を参照して、本発明の実施の形態によるバックライトユニットを含む液晶表示モジュールを説明する。
【００２９】
図４は、本発明の一実施の形態によるバックライトユニットを含む液晶表示モジュールの概略的な分解斜視図である。図４に示したように、液晶表示モジュールは、液晶パネル１１０と、バックライトユニット１２０と、メインフレーム１３０と、トップフレーム１４０と、ボトムフレーム１５０と、インバータ部１７０と、カバー１８０とを含む。
【００３０】
液晶パネル１１０は、図面には示してないが、所定距離離隔されて、相互に向かい合う上部及び下部基板間に注入された液晶層を含んで構成される。このうち、下部基板には、スイッチング素子である薄膜トランジスタが位置し、上部基板には、カラーフィルターが位置して前記薄膜トランジスタのターンオン/オフ駆動によって画像が表示される。また、液晶パネル１１０は、走査信号及び映像信号を液晶パネル１１０に供給するゲート及びデータ駆動用印刷回路基板１１５に連結される。
【００３１】
液晶パネル１１０の背面に位置して光を供給するバックライトユニット１２０は、直下型を使用するが、光源として複数の蛍光ランプ１２４が並列に配置され、蛍光ランプ１２４の下部には、反射シート１２２が位置し、両側端には、サポーター１３３が蛍光ランプ１２４の両側端を覆っている。また、蛍光ランプ１２４の上部には、複数の光学シート１２６が積層されて位置する。
【００３２】
蛍光ランプ１２４の両側端は、複数のランプソケット１３２に挟まれ、ランプソケット１３２は、一種の回路ボードであるバランスＰＣＢ１３４に半田付けされる。この時の半田付け方式は、自動圧着方式であって、既存のランプとワイヤの連結のための手動式の半田付け方式より費用や安定性面で優れている。
【００３３】
より詳しくは、バランスＰＣＢ１３４には、蛍光ランプ１２４が挟まれるランプソケット１３２が連結されており、ボトムフレームの両側端に実装され蛍光ランプ１２４を支持する。
【００３４】
また、複数の蛍光ランプ１２４各々を通じる電流の均衡を取るために、バランスＰＣＢ１３４上には、バランス素子(図示せず)が位置する。具体的に、バランス素子は、インバータ部１７０から供給される交流波形の高電圧を複数のランプソケット１３４各々に並列に供給する役割をする。
【００３５】
例えば、バランス素子としてキャパシタを利用することができる。キャパシタは、他のバランス素子に比べて、占める空間が小さく、価格が低廉であるという長所がある。
【００３６】
図５は、本発明の一実施の形態によるバックライトユニットの一部分に対する断面図である。図５に示すように、このようなバランスＰＣＢ１３４は、反射シート１２２の外郭へとボトムフレーム１５０のエッジ部に実装されて、サポーター１３３は、ランプソケット１３２及びバランスＰＣＢ１３４を完全に覆う形態でボトムフレーム１５０と結合される。この時、サポーター１３３の開口部に蛍光ランプ１２４が挿入されるようになる。
【００３７】
さらに図４を参照すると、一端には、外部電源に連結されるワイヤ(図示せず)が連結されて、前記ワイヤは、ボトムフレーム１５０の背面へと延長され、インバータ部１７０のコネクタ１３８に連結される。
【００３８】
液晶パネル１１０とバックライトユニット１２０は、メインフレーム１３０に結合され、メインフレーム１３０は、液晶パネル１１０とバックライトユニット１２０の流動を防いで支持する。
【００３９】
トップフレーム１４０は、液晶パネル１１０の端側の上部とメインフレーム１３０の側面を覆って液晶パネル１１０の端側とメインフレーム１３０の側面を支持して保護する。
ボトムフレーム１５０は、メインフレーム１４０の下部を覆って液晶表示装置の構成要素の下部を保護する。
【００４０】
このようなボトムフレーム１５０は、メインフレーム１３０と、トップフレーム１４０と締結手段(図示せず)によって締結されモジュール化される。また、ボトムフレーム１５０の下部には、蛍光ランプ１２４に電源を供給するインバータ部１７０が位置し、インバータ部１７０は、インバータ１３６と、蛍光ランプ１２４の連結手段であるプラグコネクタ１３８と、これを実装するインバータＰＣＢ１３５とで構成される。
【００４１】
このようなインバータ部１７０は、カバー１８０によって覆われて外部から遮蔽される。これによって、ボトムフレーム１５０とカバー１８０は、インバータ部１７０を取り囲むようになり、外部の衝撃からインバータ部１７０を保護することになり、付加的に、ボトムフレーム１５０とカバー１８０は、金属物質で構成され、インバータ部１７０から発生する電磁波を遮蔽する機能をする。特に、本発明によるインバータ部１７０は、複数のランプを並列に連結するバランスＰＣＢ１３４に連結された少数のワイヤを通じて連結されるので、既存とは異なり、その大きさを著しく減少させることができ、これによって、インバータ部１７０と対応する面積を有して備えられるカバー１８０の大きさも共に減少させることができ、さらにコンパクトで重量が減少された製品を提供することができる。
【００４２】
インバータ１３６は、インバータＰＣＢ１３５上で、カバー１８０の方向に(すなわち、背面に)実装され、インバータＰＣＢ１３５は、カバー１８０と共に同一な締結手段で結合される。このようなインバータ部１７０は、外部の電源供給部から供給される電源を変換してランプ１２４に供給する。
【００４３】
前述したように、インバータ部１７０は、インバータ１３６を含み、一般的に、インバータ１３６の個数は、蛍光ランプ１２４の個数と同一であることに比べて、本発明の実施の形態では、二つ以下のインバータ１３６を備え、これによって供給される駆動電源を並列に分けて蛍光ランプ１２４に供給するバランス素子を含むバランスＰＣＢ１３４を別途に備えるのが、一般的な液晶表示モジュールと差別される特徴である。
【００４４】
このような構造によって、複数の蛍光ランプ１２４は、各々対応するワイヤ(図示せず)を通じて直接駆動電源の供給を受ける形態ではなく、バランス素子(図示せず)によって同一に分配された電流をバランスＰＣＢ１３４のＰＣＢ配線３３４を通じて供給を受ける形態となる。
【００４５】
また、前述したように、バランスＰＣＢ１３４は、反射板によって覆われないボトムフレームのエッジ部に実装されることによって、液晶表示モジュールの限定された空間を最大に活用するようになる。
【００４６】
以下、図面を参照して、本発明の実施の形態による液晶表示モジュールのバランスＰＣＢの構造を、より詳しく説明する。ここで、ランプソケット１３２の形態は、蛍光ランプ１２４を支持／固定するどのような形態でも良いが、以下、より望ましいランプソケット１３２及びバランスＰＣＢ１３４の形態を提示する。
【００４７】
図６は、本発明の一実施の形態によるバックライトユニット用ランプソケットの斜視図であり、図７は、本発明の一実施の形態によるバックライトユニット用バランスＰＣＢによるランプソケットの並列配置構造を示した斜視図であり、図８は、本発明の一実施の形態によるインバータ連結部を含むボトムフレームの背面を示した図である。
【００４８】
図６、図７及び図８に示すように、ランプソケット１３２は、下部にバランスＰＣＢ１３４と半田付けされる電極３２２と、蛍光ランプ(図５の１２４)の電極が挟まれるグリッパー(gripper)３２４と、蛍光ランプ(図５の１２４)のガラス管を取り囲み、これを支持及び固定するガイドホーム３２６とで構成される。
【００４９】
バランスＰＣＢ１３４には、ランプソケット１３２が一列に並んで半田付けされる。ここで、ランプソケット１３２が半田付けされる部分は、ＰＣＢ配線３３４が並列に連結されており、図面には示してないが、ランプソケット１３２とＰＣＢ配線３３４間には、バランス素子が備えられる。例えば、ＰＣＢ配線３３４は、フォトエッチング工程を利用する薄膜パターンで構成される。
【００５０】
また、バランスＰＣＢ１３４の特定の一地点には、所定の大きさの第１ホール３３２が形成されており、ＰＣＢ配線３３４は、長手方向に第１ホール３３２まで延長される。さらに、ボトムフレーム１５０には、第１ホール３３２に対応する位置に、第２ホール３５２が形成される。
【００５１】
第１ホール３３２を通じてインバータ部に連結されるワイヤ３３３が延長される。具体的に、ワイヤ３３３の一端には、第１コネクタ３３５が形成されており、第１コネクタ３３５を通じ第１ホール３３２を経由してＰＣＢ配線３３４に連結され、また他の一端には、インバータ部に連結するための第２コネクタ３３７が形成されている。すなわち、ワイヤ３３３を通じてバランスＰＣＢとインバータ部のＰＣＢが電気的に連結される。
【００５２】
これによって、ＰＣＢ配線３３４と電気的に連結される二つ以下のワイヤ(図示せず)を備えて、第１ホール３３２及び第２ホール３５２を通じてインバータＰＣＢ１３５と電気的に連結することができる。そして、ボトムフレームの第２ホール３５２は、高圧の電流が流れる部分であるので、第２ホール３５２を決めるには、第１ホール３３２を通じて引出されるワイヤ３３３との空間距離及び側面距離を考慮して製作される。
【００５３】
図９は、本発明の一実施の形態によるバランスＰＣＢを含むバックライトユニット領域の図である。図９に示すように、複数の蛍光ランプ１２４は、下部に反射シート１２２が配置され、ボトムフレーム１５０に安定的に実装されるために、蛍光ランプ１２４の一端を別途に備えるバランスＰＣＢ１３４上のランプソケット１３２に挟まれる。
【００５４】
複数のランプソケット１３２が一列にバランスＰＣＢ１３４に実装されて、蛍光ランプの絶縁及び緩衝機能と、支持機能をするために、プラスチック材質であることが望ましい。バランスＰＣＢ１３４は、蛍光ランプ１２４が挟まれる複数のランプソケット１３２が一列に配置されて、インバータ部１７０と最短距離で直接連結される位置でボトムフレーム１５０内の側端に締結手段を通じて固定される。サポーター１３３は、バランスＰＣＢ１３４を完全に覆う形態でボトムフレーム１５０と結合して、サポーター１３３の開口部の内部に蛍光ランプ１２４が挟まれる。
【００５５】
図１０は、本発明の一実施の形態によるキャパシタを含むバランスＰＣＢの概略的な図である。図１０に示すように、バランスＰＣＢ１３４上のランプソケット１３４とバランス素子であるキャパシタが共に実装される。より詳しくは、バランスＰＣＢ１３４の長手方向にＰＣＢ配線３３４が形成され、ＰＣＢ配線３３４と各ランプソケット１３４間にキャパシタ３３６が連結される。この時、バランスＰＣＢ３３４上でキャパシタ３３６の両電極が半田付けされるパッド間には、所定距離の離隔空間３３８が形成される。このような構造によってランプソケット１３４とＰＣＢ配線３３４間の電気的影響が最小化される。
【００５６】
図面には示してないが、本発明による蛍光ランプがハイ−ハイ(high−high)方式で駆動される場合は、相互に対称となる構造でボトムフレームの両エッジ部でインバータ部を、前述した方式によって構成することができる。例えば、一方のワイヤを他の一方のワイヤが位置する領域まで長く延長して一つのインバータ部に連結することができる。
【００５７】
この時、ワイヤの損傷を防いで高電圧が流れるワイヤによるその他の部品の被害を防ぐために、ボトムフレームと反射板間で、ボトムフレームの端側に沿ってワイヤを位置させた後、インバータ形成部でボトムフレームにホールを形成して、長いワイヤが外に取り出される。一方、ハイ−ロー(high−low)方式でランプを駆動する場合は、ハイ−ハイ方式とは異なる、ロー方式で駆動するランプ側では、別途のキャパシタが省略される。
【００５８】
図１１は、バックライトユニットが実装されるボトムフレームの背面上で、インバータ部の連結構造を示した斜視図である。バックライトユニットは、ハイ−ハイ方式で駆動されて、従って、蛍光ランプ(図示せず)の両一端各々に第１インバータ部４７０ａ及び第２インバータ部４７０ｂが連結されることを特徴とする。
【００５９】
図１１に示したように、ボトムフレーム４５０内に実装されている蛍光ランプ(図示せず)の両一端に対応して、ボトムフレーム４５０を貫通する第３ホール４５２及び第４ホール４５４が形成されている。第３ホール４５２及び第４ホール４５４は、ボトムフレーム４５０内のバランスＰＣＢ(図示せず)に形成されている第１及び第２ホール(図示せず)に対応して、第３ホール４５２及び第４ホール４５４に結合される第１ワイヤ４３３ａ及び第２ワイヤ４３３ｂは、第１及び第２ホール(図示せず)を通じてボトムフレーム４５０の内面の蛍光ランプ(図示せず)と電気的に連結される。
【００６０】
すなわち、図面には示してないが、蛍光ランプ(図示せず)の両一端は、各々ボトムフレーム４５０の内面の両側に実装されている第１及び第２バランスＰＣＢ(図示せず)にランプソケット(図示せず)及びＰＣＢ配線(図示せず)などを通じて連結されて、第１ワイヤ４３３ａ及び第２ワイヤ４３３ｂは、各々第１ホール(図示せず)及び第３ホール４５２と第２ホール(図示せず)及び第４ホール４５４を貫通して、第１及び第２バランスＰＣＢ(図示せず)を通じて蛍光ランプ(図示せず)の両一端と電気的に連結される。
【００６１】
この時、第１ワイヤ４３３ａ及び第２ワイヤ４３３ｂ各々の両一端には、第１コネクタ４３５及び第２コネクタ４３７が連結されており、第１コネクタは、第３ホール４５２及び第４ホール４５４に結合され第１及び第２バランスＰＣＢ(図示せず)に連結されて、第２コネクタは、ボトムフレーム４５０の背面に形成されている第１インバータ部４７０ａ及び第２インバータ部４７０ｂのインバータコネクタ４３８と結合される。結果的に、第１インバータ部４７０ａ及び第２インバータ部４７０ｂの第１インバータ４３６ａ及び第２インバータ４３６ｂは、第１ワイヤ４３３ａ及び第２ワイヤ４３３ｂを通じて蛍光ランプ(図示せず)の両一端に電気的に連結され電流を伝達する。
【００６２】
この場合、蛍光ランプの両一端に対応して二つのインバータ部が形成されワイヤを通じて電気的に連結されるが、ボトムフレームの両一端に蛍光ランプの両一端が連結される一つのインバータ部のみを形成することによって、製造原価が節減できる実施の形態を図１３で説明する。
【００６３】
一方、バックライトユニットがハイ−ロー方式で駆動される場合は、前述したバランスＰＣＢ、インバータ部などが蛍光ランプの一端のみに形成されており、蛍光ランプの他の一端は、接地されている。
【００６４】
図１２は、本発明の他の実施の形態によるバックライトユニットの一部を示した斜視図である。本実施の形態は、蛍光ランプとして外部電極蛍光ランプＥＥＦＬが利用されており、これによって、冷陰極蛍光ランプＣＣＦＬを利用するに比べて、バランシングユニットが省略される簡単な構造であることを特徴とする。
【００６５】
図１２に示したように、バックライトユニットは、ボトムフレーム５００の上部に、外部電極蛍光ランプで構成される複数の蛍光ランプ５２０が一方向に相互に離隔して配列されており、蛍光ランプ５２０とボトムフレーム５００間には、反射シート５１０が配置されている。また、カバーボトム５００の一側には、蛍光ランプ５２０の一端と連結される第１ランプＰＣＢ５４０ａが蛍光ランプ５２０の長手方向と垂直に配列されている。
【００６６】
第１ランプＰＣＢ５４０ａ上には、蛍光ランプ５２０に対応してランプソケット５２２が配列されており、ランプソケット５２２は、第１ランプＰＣＢと半田付けされ電気的に連結されていて、蛍光ランプ５２０は、各々のランプソケット５２２に挿入され第１ランプＰＣＢ５４０ａと電気的に連結される構造になる。但し、ランプソケット５２２と第１ランプＰＣＢ５４０ａの連結が必ずしも半田付けによって行われるのではない。
【００６７】
ボトムフレーム５００の一側に形成された第１ランプＰＣＢ５４０ａに対応して複数の開口部５３２を有するサポーター５３０が結合される。複数の開口部５３２は、複数の蛍光ランプ５２０に対応する位置に形成されており、サポーター５３０の内部には、ランプソケット５２２が挟まれる空間が形成される。その具体的な形状は、図５で説明しているので省略する。また、第１ランプＰＣＢ５４０ａ上には、複数のランプソケット５２２と電気的に連結される第１ＰＣＢ配線５４２ａが第１ランプＰＣＢ５４０ａの長手方向に形成されるが、結果的に、複数の蛍光ランプ５２０は、第１ＰＣＢ配線５４２ａに並列に連結された構造になる。また、第１ランプＰＣＢ５４０ａ上には、第１ＰＣＢ配線５４２ａに対応して第１ホール５４４が形成される。
【００６８】
さらに、蛍光ランプ５２０の他の一端には、第１ランプＰＣＢ５４０ａと向かい合って第２ランプＰＣＢ５４０ｂが形成される。第２ランプＰＣＢ５４０ｂには、蛍光ランプ５２０に対応して複数のランプソケット５２２が形成されており、また、第２ＰＣＢ配線５４２ｂが第２ランプＰＣＢ５４０ｂの長手方向に、すなわち、第１ランプＰＣＢ５４０ａの第１ＰＣＢ配線５４２ａと平行に形成される。第１ランプＰＣＢ５４０ａでのように、複数のランプソケット５２２は、第２ランプＰＣＢ５４０ｂ上に半田付けされて、第２ＰＣＢ配線５４２ｂに並列に連結される。
【００６９】
ところが、第２ランプＰＣＢ５４０ｂには、ホールが形成されず、第２ＰＣＢ配線５４２ｂの一側に第１ワイヤ５４６が直接連結されている。第１ワイヤ５４６は、蛍光ランプ５２０の長手方向に第１ランプＰＣＢ５４０ａが形成されている側端まで延長されて、ボトムフレーム５００に形成されている第２ホール５４８を通じてボトムフレーム５００の背面に延長される。この時、第１ワイヤ５４６は、ボトムフレーム５００と反射シート５１０の間を通過して、これは、第１ワイヤ５４６が反射シート５１０上に位置する時に発生するバックライトの性能の低下を防ぐためである。第１ランプＰＣＢ５４０ａに対応するサポーター５３０と同一な形状に、第２ランプＰＣＢ５４０ｂ上にも、サポーター５３０が結合される。
【００７０】
図１２は、第２ランプＰＣＢにホールを形成せずにワイヤを利用して第１ランプＰＣＢに隣接して形成されているホールを通じてワイヤがボトムフレームの背面に延長される構造を示しているが、図１１で説明したように、インバータ部がボトムフレームの背面の両側に形成される場合は、第２ランプＰＣＢ も第１ランプＰＣＢと同一な構造であって、ランプＰＣＢ上のホールを通じて背面のインバータ部に連結される。
【００７１】
前述した構造は、ハイ−ハイ方式で駆動される場合であって、ハイ−ロー方式で駆動される場合は、ボトムフレームの一側のみランプＰＣＢを形成して蛍光ランプの一端と連結させて、蛍光ランプの他の一端は、接地された構成である。
【００７２】
前記構成のバックライトユニットにおいて、蛍光ランプ５２０と電気的に連結されている第１ＰＣＢ配線５４２ａ及び第２ＰＣＢ配線５４２ｂは、ボトムフレーム５００の背面に形成されて、インバータを有するインバータ部と電気的に連結されるが、これを説明する。
【００７３】
ＰＣＢ配線とインバータの連結構造は、図１１に示したように、ボトムフレームの背面の両側各々にホールを形成して、また、インバータを有するインバータ部を配置してボトムフレームの前面の両側に形成されている二つのランプＰＣＢ(またはＰＣＢ配線)を各々両側のインバータ部と連結させる。
【００７４】
ところが、この場合は、二つのインバータ部を必要として、これは、製造原価の増加を意味する。従って、図１３のように、一つのインバータ部のみを形成して、ハイ−ハイ方式で駆動されるバックライトの構造を説明する。
【００７５】
図１３は、図１２で説明したバックライトユニットにおいて、ボトムフレームの背面を示した斜視図である。図１３に示したように、ボトムフレーム５００の背面には、ボトムフレーム５００の前面の第１ランプＰＣＢ(図１２の５４０ａ)に形成されている第１ホール(図１２の５４４)に対応する位置に第３ホール５２２が位置しており、第２ランプＰＣＢ(図１２の５４０ｂ)に連結されている第１ワイヤ５４６が貫通する第２ホール５４８が、第３ホール５２２が形成された側端に形成されている。また、第１インバータ５６８ａ及び第２インバータ５６８ｂと第１インバータコネクタ５６２及び第２インバータコネクタ５６６を含むインバータ部５６０が第３ホール５２２に隣接して形成されている。
【００７６】
第３ホール５５２には、両一端に第１コネクタ５５６及び第２コネクタ５５８が形成されている第２ワイヤ５５４が構成されて、第１コネクタ５５６は、第３ホール５５２に結合され第１ホール(図１２の５４４)を通じてボトムフレーム５００の前面に形成されている第１ランプＰＣＢ(図１２の５４０ａ)上の第１ＰＣＢ配線(図１０の５４２ａ)に連結される。また、第２コネクタ５５８は、インバータ部５６０の第１インバータコネクタ５６２と結合され第１インバータ５６８ａに連結される。
【００７７】
すなわち、第１インバータ５６８ａは、第１インバータコネクタ５６２、第２ワイヤ５５４、第１ＰＣＢ配線(図１２の５４２ａ)及び第１ランプＰＣＢ(図１２の５４０ａ)上のランプソケット(図１２の５２２)を通じて蛍光ランプ(図１２の５２０)の一端に連結される。
【００７８】
また、第２ホール５４８を貫通して延長されている第１ワイヤ５４６は、インバータ部５６０に延長されて、その一端に形成されている第３コネクタ５６４が第３インバータコネクタ５６６に結合されることによって、第２インバータ５６８ｂに連結される。
すなわち、第２インバータ５６８ｂは、第３インバータコネクタ５６６、第１ワイヤ５４６、第２ＰＣＢ配線(図１２の５４２ｂ)及び第２ランプＰＣＢ(図１２の５４０ｂ)上のランプソケット(図１２の５２２)を通じて蛍光ランプ(図１２の５２０)の他の一端に連結される。
【００７９】
このような構成によって、バックライトユニットがハイ−ハイ方式で駆動される場合も、二つのインバータ部がボトムフレームの背面の両側に形成され各々蛍光ランプの両一端に連結される代りに、一つのインバータ部のみを利用して蛍光ランプの両一端にインバータを連結して、製造原価を節減する。
【００８０】
前述したような特徴の構成を外部電極蛍光ランプＥＥＦＬが適用されたバックライトユニットを通じて説明したが、冷陰極蛍光ランプＣＣＦＬが適用されたバックライトユニットでも説明できる。
【００８１】
以上のように、本発明によれば、複数の蛍光ランプが挟まれるランプソケットが並列に連結される回路基板(ランプＰＣＢまたはバランスＰＣＢ)をカバーボトムの前面に備えて、カバーボトムを貫通するホールを通じてカバーボトムの背面に形成されたインバータに連結することによって、複数の蛍光ランプとインバータを一つのワイヤを通じて連結することができる。
【００８２】
また、前記ランプソケットを並列に連結してランプ数ほど備えたインバータ及びこれに連結するためのワイヤの個数を減少させて、バランスＰＣＢの一端の第１ホール及びこれに対応する位置のカバーボトムの第２ホールを通じてワイヤを連結することによって、電流漏洩などが防げる。
【００８３】
また、冷陰極蛍光ランプＣＣＦＬで構成される複数の蛍光ランプに電流を分配するバランシングユニットを回路基板上に備えることによって、別途の追加構成なしに効率的なランプ駆動ができる。
【００８４】
また、ハイ−ハイ方式で駆動されるバックライトユニットにおいて、蛍光ランプの両一端が一つのインバータ部に効率的に連結させることによって、構造を簡単にして製造原価を節減する。
【００８５】
また、複数の蛍光ランプと複数のワイヤを相互に連結するために、各々の半田付け過程を省略して、工程時間を短縮させる。
【００８６】
さらに、回路基板(ランプＰＣＢまたはバランスＰＣＢ)をサポーターの空間内に実装することによって、液晶表示モジュールの余分空間を最大に活用することができる。
【００８７】
本発明の望ましい実施の形態を参照して説明したが、該当の技術分野の熟練された当業者は、特許請求の範囲に記載した本発明の技術的思想及び領域から脱しない範囲内で本発明を多様に修正及び変更させることができる。
【図面の簡単な説明】
【００８８】
【図１】従来による液晶表示モジュール用バックライトユニット及びこれに連結されるインバータ部の概略的な斜視図である。
【図２】図１のＩＩａ領域を拡大して示した写真図である。
【図３】図１による液晶表示モジュール用バックライトユニットのランプホルダー部を概略的に示した図である。
【図４】本発明の一実施の形態によるバックライトユニットを含む液晶表示モジュールの概略的な分解斜視図である。
【図５】本発明の一実施の形態によるバックライトユニットの一部分に対する断面図である。
【図６】本発明の一実施の形態によるバックライトユニット用ランプソケットの斜視図である。
【図７】本発明の一実施の形態によるバックライトユニット用バランスＰＣＢによるランプソケットの並列配置構造を示した斜視図である。
【図８】本発明の一実施の形態によるインバータ連結部を含むボトムフレームの背面を示した部分的な図である。
【図９】本発明の一実施の形態によるバランスＰＣＢを含むバックライトユニット領域の図である。
【図１０】本発明の一実施の形態によるキャパシタを含むバランスＰＣＢの概略的な図である。
【図１１】本発明の実施の形態によるボトムフレームの背面を示した図である。
【図１２】本発明の実施の形態によるバックライトユニットの一部を概略的に示した斜視図である。
【図１３】図１０に示しているボトムフレームの背面を示した斜視図である。
【符号の説明】
【００８９】
１１０：液晶パネル              １２０：バックライトユニット
１２２：反射シート              １２４：蛍光ランプ
１２６：光学シート              １３０：メインフレーム
１３２：ランプソケット          １３３：サポーター
１３４：バランスＰＣＢ          １３５：インバータＰＣＢ
１３６：インバータ            １３８：コネクタ
１４０：トップフレーム          １５０：ボトムフレーム
１７０：インバータ部          １８０：カバー
【図１】
2008146050.tif 000003
【図２】
2008146050.tif 000004
【図３】
2008146050.tif 000005
【図４】
2008146050.tif 000006
【図５】
2008146050.tif 000007
【図６】
2008146050.tif 000008
【図７】
2008146050.tif 000009
【図８】
2008146050.tif 000010
【図９】
2008146050.tif 000011
【図１０】
2008146050.tif 000012
【図１１】
2008146050.tif 000013
【図１２】
2008146050.tif 000014
【図１３】
2008146050.tif 000015